(57)【要約】      （修正有）【課題】利便性の向上を図ること。【解決手段】コンセント１は、コンセント本体Ｂ１と、通知部６と、を備える。通知部６は、コンセント本体Ｂ１の状態に応じて、状態情報及びコンセント本体Ｂ１の存在のうち少なくとも一方を、コンセント本体Ｂ１の外部に通知する。「コンセント本体Ｂ１」とは、通知部６以外の、コンセント１の構成要素に相当する。ただし、コンセント本体Ｂ１は、特に限定されず、コンセント１の筐体のみに相当してもよいし、筐体内の導体Ｚ１のみに相当してもよいし、筐体及び導体Ｚ１に相当してもよい。「状態情報」とは、特定の事象を検出する検出部Ｄ１から取得する事象情報に基づいて、コンセント本体Ｂ１の状態が判定された判定結果を示す情報である。ここでは、検出部Ｄ１は、コンセント１の構成要素として、コンセント１内に配置されている。【選択図】図１
2019220274.tif 000002
【特許請求の範囲】
【請求項１】
コンセント本体と、
前記コンセント本体の状態に応じて、前記状態に関する状態情報及び前記コンセント本体の存在のうち少なくとも一方を、前記コンセント本体の外部に通知する通知部と、
を備える、
コンセント。
【請求項２】
特定の事象を検出する検出部から取得する事象情報に基づいて、前記コンセント本体の状態を判定する判定部を、更に備え、
前記通知部は、前記判定部による前記状態の判定結果を示す前記状態情報を通知する、
請求項１に記載のコンセント。
【請求項３】
前記通知部は、表示により前記状態情報を通知する電子ペーパーを有し、
前記状態情報は、文字情報及びコード情報のうち少なくとも一方を含む、
請求項１又は２に記載のコンセント。
【請求項４】
前記通知部は、温度の変化に応じて変色することで前記状態情報を通知する感熱部を有する、
請求項１〜３のいずれか１項に記載のコンセント。
【請求項５】
前記通知部は、発光により前記存在を通知する発光部を有し、
前記発光部は、その光軸方向が、前記コンセント本体における筐体の正面以外の面と交差するように光を出射する、
請求項１〜４のいずれか１項に記載のコンセント。
【請求項６】
前記通知部は、電磁波を媒体とした信号により前記状態情報及び前記存在のうち少なくとも一方を通知する発信部を有する、
請求項１〜５のいずれか１項に記載のコンセント。
【請求項７】
前記発信部は、前記コンセント本体の位置を示す前記存在を通知し、
前記信号は、無線信号であり、
前記位置は、前記発信部が発信する前記無線信号の電波強度により特定可能である、
請求項６に記載のコンセント。
【請求項８】
前記通知部は、電力線通信により前記状態情報及び前記存在のうち少なくとも一方を通知する、
請求項１〜７のいずれか１項に記載のコンセント。
【請求項９】
請求項６〜８のいずれか１項に記載のコンセントを１又は複数と、
前記状態情報及び前記存在のうち少なくとも一方の通知を受ける通信端末と、
を備える、
コンセントシステム。
【発明の詳細な説明】
【技術分野】
【０００１】
本開示は、一般に、コンセント、及びコンセントシステムに関する。本開示は、より詳細には、コンセント、及び当該コンセントを１又は複数備えるコンセントシステムに関する。
【背景技術】
【０００２】
特許文献１には、外部電源からの電線が電気的に接続される第１接続部と、電気機器からの電線に設けられた差込プラグが着脱自在に接続される第２接続部と、を備える配線装置（コンセント）が記載されている。このコンセントは、例えば、第１接続部及び第２接続部の１箇所以上に取り付けられた温度測定部と、第１接続部と第２接続部との間を電気的に遮断する遮断部と、を備えている。
【０００３】
特許文献１に記載のコンセントは、温度測定部で検出された温度をもとに異常と判断すると、遮断部に接点をオフさせる。そのため、施工時の結線不良又は使用中に加わる振動の影響等によって、第１接続部と電線との接触部位に発生するジュール熱が増加すると、温度測定部の測定温度が上昇し、遮断部の接点がオフされて電気機器への電力供給を遮断することができる。
【先行技術文献】
【特許文献】
【０００４】
【特許文献１】特開２０１６−５８３３２号公報
【発明の概要】
【発明が解決しようとする課題】
【０００５】
ところで、例えば、コンセントにて特定の事象が発生した場合、ユーザにとっては、その特定の事象の内容、又は特定の事象が発生した場所（コンセントの位置）を知りたいという要望がある。特定の事象は、一例として、特許文献１のコンセントであれば異常な温度上昇である。
【０００６】
本開示は上記事由に鑑みてなされ、利便性の向上を図ることができるコンセント、及びコンセントシステムを提供することを目的とする。
【課題を解決するための手段】
【０００７】
本開示の一態様に係るコンセントは、コンセント本体と、通知部と、を備える。前記通知部は、前記コンセント本体の状態に応じて、前記状態に関する状態情報及び前記コンセント本体の存在のうち少なくとも一方を、前記コンセント本体の外部に通知する。
【０００８】
本開示の一態様に係るコンセントシステムは、上記のコンセントを１又は複数と、前記状態情報及び前記存在のうち少なくとも一方の通知を受ける通信端末と、を備える。
【発明の効果】
【０００９】
本開示によれば、利便性の向上を図ることができる、という利点がある。
【図面の簡単な説明】
【００１０】
【図１】図１は、本開示の一実施形態に係るコンセントの構成を示すブロック図である。
【図２】図２Ａは、同上のコンセントの使用例を示し開閉部が導通状態にあるときの外観斜視図である。図２Ｂは、同上のコンセントの使用例を示し開閉部が遮断状態にあるときの外観斜視図である。
【図３】図３Ａは、同上のコンセントの外カバー及び内カバーを外した状態の正面図である。図３Ｂは、同上のコンセントの外カバー及び内カバーを外した状態の背面図である。
【図４】図４Ａは、同上のコンセントの要部の構成を示す図３ＡのＸ１−Ｘ１線断面に相当する概略図である。図４Ｂは、同上のコンセントの要部の構成を示す図３ＢのＸ２−Ｘ２線断面に相当する概略図である。
【図５】図５は、同上のコンセントの動作例を示すフローチャートである。
【図６】図６Ａ及び図６Ｂは、同上のコンセントにおける変形例１の要部外観図である。
【図７】図７Ａは、同上のコンセントにおける変形例２の要部外観図である。図７Ｂは、同上の変形例２が屋内の壁に設置された様子を示す図である。
【図８】図８Ａは、同上のコンセントにおける変形例３を複数備えるコンセントシステムの構成を示す概念図である。図８Ｂは、同上の変形例３における通知部の構成を示すブロック図である。
【図９】図９は、同上のコンセントにおける変形例４を複数備えるコンセントシステムの構成を示す概念図である。
【発明を実施するための形態】
【００１１】
（１）概要
以下の実施形態において説明する図１〜図９は、模式的な図であり、図１〜図９中の各構成要素の大きさや厚さそれぞれの比が、必ずしも実際の寸法比を反映しているとは限らない。
【００１２】
本実施形態に係るコンセント１は、例えば、電気機器のプラグ９１（図４Ａ参照）が接続されて電気機器への電力供給を行う配線器具、つまりアウトレット（Outlet）である。コンセント１は、例えば、戸建住宅若しくは集合住宅等の住宅施設、又は事務所、店舗、学校若しくは介護施設等の非住宅施設等に設置される。コンセント１は、例えば、施設（建物）の壁面、天井面及び床面等の造営面１００（図２Ａ参照）に設置される。
【００１３】
コンセント１は、図１に示すように、コンセント本体Ｂ１と通知部６とを備える。通知部６は、コンセント本体Ｂ１の状態に応じて、当該状態に関する状態情報及びコンセント本体Ｂ１の存在のうち少なくとも一方を、コンセント本体Ｂ１の外部に通知する。
【００１４】
ここで言う「コンセント本体Ｂ１」とは、概ね、通知部６以外の、コンセント１の構成要素に相当する。ただし、コンセント本体Ｂ１は、特に限定されず、コンセント１の筐体４のみに相当してもよいし、筐体４内の導体Ｚ１のみに相当してもよいし、筐体４及び導体Ｚ１に相当してもよい。導体Ｚ１は、給電線９２（図４Ｂ参照）が接続される端子部材２、及びプラグ９１が接続される接続部材３を含む。
【００１５】
また「状態情報」とは、例えば、特定の事象を検出する検出部Ｄ１から取得する事象情報に基づいて、コンセント本体Ｂ１の状態が判定された判定結果を示す情報である。ここでは、検出部Ｄ１は、コンセント１の構成要素として、コンセント１（筐体４）内に配置されている。検出部Ｄ１の検出対象となる「特定の事象」は、特に限定されない。以下では、一例として、「特定の事象」が、異常な温度上昇であることを想定する。すなわち、コンセント１は、一例として、温度検出部５（検出部Ｄ１）を備えた、いわゆる過熱検知機能付きのコンセントである。ただし、「特定の事象」が、例えば、地震であれば、コンセント１は、揺れを検出する検出部を備えた、いわゆる感震機能付きのコンセントであってもよい。
【００１６】
コンセント１は、開閉部８を、更に備えることが好ましい。開閉部８は、端子部材２から接続部材３までの間に電気的に接続されて、状態情報が、判定結果として異常な温度上昇を示す場合、導通状態から遮断状態に切り替わる。遮断状態から導通状態への開閉部８の切替えは、ユーザが手動で行ってもよいし、例えば、コンセント１の外部からの復旧信号を受信する、又は所定時間が経過する等の復旧条件を満たした場合に、コンセント１が自動で行ってもよい。筐体４は、通知部６、開閉部８及び導体Ｚ１等を、収容又は保持する。
【００１７】
ところで、コンセント１にて、特定の事象が発生した場合、ユーザにとっては、その特定の事象の内容、又は特定の事象が発生した場所（コンセント１の位置）を知りたいという要望がある。これに対して、コンセント１は、上述の通り、コンセント本体Ｂ１の状態に応じて、状態情報及びコンセント本体Ｂ１の存在のうち少なくとも一方を、コンセント本体Ｂ１の外部に通知する通知部６を備える。そのため、ユーザは、特定の事象の内容、又は特定の事象が発生した場所（コンセント１の位置）を、容易に知ることができるため、利便性の向上を図ることができる。
【００１８】
以下の「（２）詳細」の欄で、通知部６が状態情報をコンセント本体Ｂ１の外部に通知する場合を主に説明し、「（３）変形例」の欄で、通知部６がコンセント本体Ｂ１の存在をコンセント本体Ｂ１の外部に通知する場合を主に説明する。
【００１９】
（２）詳細
次に、本実施形態に係るコンセント１について、より詳細に説明する。
【００２０】
（２．１）全体構成
まず、コンセント１の全体構成について、図１〜図４Ｂを参照して説明する。コンセント１は、上述の通り、コンセント本体Ｂ１と通知部６とを備えている。コンセント本体Ｂ１は、図１に示すように、導体Ｚ１（端子部材２及び接続部材３等）、筐体４（図２Ａ及び図２Ｂ参照）、温度検出部５（検出部Ｄ１）及び開閉部８に加えて、制御部７を更に備えている。またコンセント本体Ｂ１は、操作部材８１、表示部８２、ブザー８３及びスイッチ８４を更に備えている。
【００２１】
図２Ａ及び図２Ｂは、コンセント１が造営面１００に取り付けられた状態の斜視図である。本実施形態では、コンセント１は、日本工業規格によって規格化された大角形連用配線器具の取付枠に取り付けられる埋込形配線器具である。具体的には、コンセント１は、取付枠を介して造営面１００に取り付けられる。ここで、取付枠は、埋込ボックスを介して又は直接的に、造営面１００に固定される。つまり、取付枠が造営面１００に固定されることにより、コンセント１が取付枠を介して造営面１００に取り付けられる。取付枠には化粧プレート１０１が取り付けられ、図２Ａ及び図２Ｂに示すように、化粧プレート１０１の内側からコンセント１が露出する形になる。ここで、取付枠は、コンセント１の筐体４と別体であってもよいし、筐体４と一体であってもよい。本実施形態では、コンセント１が屋内用である場合、つまり造営面１００が建物（施設）の内壁面である場合について説明するが、この例に限らず、コンセント１は屋外用であってもよい。
【００２２】
以下では、造営面１００である建物の内壁面にコンセント１が取り付けられた状態での、水平面に対して垂直な（直交する）方向を「上下方向」とし、コンセント１を正面から見て下方（鉛直方向）を「下方」として説明する。また、上下方向と直交し、かつ造営面１００に平行な方向を「左右方向」とし、コンセント１を正面から見て右方を「右方」、左方を「左方」として説明する。さらに、上下方向と左右方向との両方に直交する方向、つまり造営面１００に直交する方向を「前後方向」とし、造営面１００の裏側（壁裏側）を「後方」として説明する。ただし、これらの方向はコンセント１の使用方向を限定する趣旨ではない。例えば、コンセント１が壁面ではなく床面に取り付けられる場合には、「前後方向」は水平面に対して垂直な方向となり、「上下方向」及び「左右方向」は水平面に平行な方向となる。また、コンセント１が壁面に取り付けられる場合でも、「上下方向」が水平面に平行な方向となる向き（つまり横向き）で、コンセント１が壁面に取り付けられることにより、「左右方向」は水平面に垂直な方向となる。
【００２３】
また、本実施形態では、コンセント１として、２個のプラグ９１を同時に接続可能な２個口タイプのコンセントを例示する。すなわち、コンセント１は、２個のプラグ９１に対応するように、２個の接続口１１を有している。２個の接続口１１は、各々が１つのプラグ９１を接続可能に構成されており、筐体４の前面において上下方向（鉛直方向）に沿って並んで配置されている。２個の接続口１１のうち、一方（下方）の接続口１１は、交流１００Ｖ用の２極接地極付きコンセントであって、他方（上方）の接続口１１は、交流１００Ｖ用の接地極無しの２極コンセントである。
【００２４】
本実施形態では、２極のプラグ９１に対応するように、コンセント１は、互いに異極性となる一対の端子部材２を備えている。つまり、一対の端子部材２のうち一方の端子部材２にはＬ極（HOT）側の給電線９２が接続され、他方の端子部材２にはＮ極（COLD）側の給電線９２が接続される。同様に、コンセント１は、各接続口１１につき互いに異極性となる一対の接続部材３を備えており、計二対（４個）の接続部材３を備えている。ここで、互いに同極性である２個の接続部材３は、リード板３０（図３Ａ参照）にて連結されている。さらに、互いに同極性である接続部材３と端子部材２とは、開閉部８を介して電気的に接続されている。
【００２５】
コンセント１は、筐体４と、筐体４に収容又は保持される端子部材２及び接続部材３等の内部部品と、を備えている。筐体４は、図３Ａ、図４Ａ及び図４Ｂに示すように、外ボディ４１と、外カバー４２（図２参照）と、内カバー４３と、内ブロック４４と、端子ブロック４５と、を有している。これら外ボディ４１、外カバー４２、内カバー４３、内ブロック４４及び端子ブロック４５が組み合わされることにより、筐体４が構成されている。筐体４は、電気絶縁性を有する合成樹脂製である。
【００２６】
外ボディ４１は、前面が開口された箱状に形成されている。外ボディ４１の開口面（前面）は、上下方向の寸法が左右方向の寸法よりも長い長方形状である。内ブロック４４は、接続部材３を保持した状態で、他の内部部品（端子部材２及び開閉部８等）と共に外ボディ４１に収容される。外ボディ４１の前面には内カバー４３が取り付けられる。これにより、外ボディ４１と内カバー４３との間には、内ブロック４４に保持された状態の接続部材３を含む内部部品が収容されることになる。外カバー４２は、内カバー４３の前面に取り付けられる。これにより、内ブロック４４と外カバー４２との間に接続部材３が収容される。ここで、内カバー４３のうち、内ブロック４４に対応する部位には、前後方向に貫通する開口窓が形成されている。そのため、接続部材３を保持した内ブロック４４の前面は外カバー４２で覆われることになり、外カバー４２を外した状態では、内ブロック４４の前面は開口窓を通して前方に露出する。端子ブロック４５は、端子部材２を保持した状態で、他の内部部品と共に外ボディ４１に収容される。
【００２７】
つまり、内ブロック４４及び外カバー４２は、接続部材３を保持する保持部材を構成する。端子ブロック４５は、端子部材２を保持する保持部材を構成する。言い換えれば、コンセント１は、端子部材２及び接続部材３の少なくとも一方を保持する保持部材を更に備えている。
【００２８】
外カバー４２は、更に、複数の部材（例えば３つの部材）に分割可能に構成されているが、一体（一部材）であってもよい。ここで、外カバー４２のうち内ブロック４４を覆う部位、及び内ブロック４４は、例えば、ユリア樹脂製である。
【００２９】
外カバー４２のうち内ブロック４４を覆う部位には、上述した２個の接続口１１が形成されている。２個の接続口１１のうち一方（上方）の接続口１１は、プラグ９１の一対の栓刃９１１（図４Ａ参照）が差し込まれる一対の挿入孔１１１を有している。２個の接続口１１のうち他方（下方）の接続口１１は、一対の挿入孔１１１に加えて、接地極付きプラグの接地ピンが差し込まれる接地挿入孔１１２、及びアース蓋１１３を有している。筐体４の内部において、各挿入孔１１１に対応する位置には接続部材３が配置され、接地挿入孔１１２に対応する位置には第１接地部材１１４が配置され、アース蓋１１３に対応する位置には第２接地部材１１５が配置される。第１接地部材１１４は、接地極付きプラグの接地ピンが接続されるばね部材である。第２接地部材１１５は、電気機器の接地線が接続されるねじ式端子である。接地線は、アース蓋１１３が開いた状態で第２接地部材１１５への着脱が可能になる。
【００３０】
また、外ボディ４１と内カバー４３との間の空間であって内ブロック４４の左方には、開閉部８及び基板８５が収容されている。基板８５は、開閉部８の上方に配置されている。基板８５には、表示部８２を構成する第１表示灯８２１及び第２表示灯８２２、並びにスイッチ８４が実装されている。一例として、第１表示灯８２１及び第２表示灯８２２は、互いに発光色の異なるＬＥＤ（Light Emitting Diode）であって、スイッチ８４は、押ボタンスイッチである。このように、開閉部８、表示部８２及びスイッチ８４は、筐体４（外ボディ４１及び内カバー４３）内に収容されている。ただし、表示部８２の光が筐体４の前方から視認可能となり、かつ筐体４の前方からスイッチ８４の押操作が可能となるように、内カバー４３には透光部及びカンチレバーが形成されている。つまり、表示部８２の光は透光部を通して筐体４の前方から視認可能であって、スイッチ８４はカンチレバーを介して筐体４の前方から押操作可能である。図２Ａ及び図２Ｂでは、便宜上、筐体４の前面における表示部８２（第１表示灯８２１及び第２表示灯８２２）及びスイッチ８４に対応する各位置に、表示部８２及びスイッチ８４の符号を付している。
【００３１】
外ボディ４１と内カバー４３との間の空間であって内ブロック４４の左下方には、図３Ａに示すように、基板８６が収容されている。基板８６には、各種回路を構成する回路部品が実装される。
【００３２】
制御部７は、筐体４に収容されており、例えば、内ブロック４４の後方に配置された制御基板に実装されている。ブザー８３についても同様に、筐体４に収容されており、例えば、制御基板に実装されている。制御部７は、開閉部８、表示部８２、ブザー８３、スイッチ８４、温度検出部５及び通知部６に電気的に接続されている。なお、制御基板から外カバー４２の背面の上部に向かってリード線が延びており、制御部７は、当該リード線を介して、通知部６と電気的に接続されている。制御部７は、少なくとも開閉部８、通知部６、表示部８２、及びブザー８３の制御を行う。
【００３３】
制御部７は、例えば、マイクロコントローラを主構成として備えている。マイクロコントローラは、マイクロコントローラのメモリに記録されているプログラムをＣＰＵ（Central Processing Unit）で実行することにより、制御部７としての機能を実現する。プログラムは、予め上記メモリに記録されていてもよいし、メモリカードのような非一時的記録媒体に記録されて提供されたり、電気通信回線を通して提供されたりしてもよい。言い換えれば、上記プログラムは、マイクロコントローラを、制御部７として機能させるためのプログラムである。
【００３４】
また制御部７は、図１に示すように、報知部７１としての機能、状態提示部７２としての機能、判定部７３としての機能を有している。
【００３５】
判定部７３は、異常な温度上昇（特定の事象）を検出する温度検出部５（検出部Ｄ１）から取得する検出温度Ｔ１（事象情報）に基づいて、コンセント本体Ｂ１の状態を判定する（判定処理）。
【００３６】
ここでは、コンセント本体Ｂ１の状態は、説明の簡略化のため、正常及び異常のいずれかに該当する状態であるとする。言い換えると、判定部７３は、検出温度Ｔ１を、１つの温度閾値と比較判定を行い、温度閾値未満であれば正常、温度閾値以上であれば異常と、判定するものとする。しかし、状態の種類数は、特に限定されない。例えば、状態は、正常、注意、及び異常等の３段階以上に分けられてもよく、温度閾値も複数用いられてもよい。また異常自体の種類も判定（分析）結果に応じて細分化されてもよい。判定部７３は、経過時間に対する検出温度Ｔ１の上昇特性から、ジュール熱による発熱異常、又は他の原因による発熱異常等について、推定可能に構成されてもよい。
【００３７】
制御部７は、判定部７３にてコンセント本体Ｂ１が異常状態にあると判定すると、端子部材２から接続部材３までの間における電路の遮断を実行する。すなわち、制御部７は、駆動信号を開閉部８に出力して、開閉部８を導通状態から遮断状態に切り替えるように制御する。また報知部７１は、判定結果（異常状態）に関する報知を行う。すなわち、報知部７１は、ブザー８３及び表示部８２を通じて、異常な温度上昇を検出したことをユーザに報知する。
【００３８】
本実施形態では、一例として、報知部７１での報知は、ブザー８３からの異常警告音の出力、及び表示部８２での「異常」表示により実現される。つまり、制御部７は、ブザー８３及び表示部８２を制御することにより報知部７１での報知を実現する。状態提示部７２は、開閉部８が導通状態にあるか遮断状態にあるかを提示する。本実施形態では一例として、状態提示部７２での提示は、ブザー８３からの異常警告音の出力、及び表示部８２での「異常」表示により実現される。つまり、制御部７は、ブザー８３及び表示部８２を制御することにより状態提示部７２での提示を実現する。
【００３９】
ここで判定部７３は、コンセント本体Ｂ１の状態の判定結果を示す「状態情報」を、通知部６より外部に通知させる。一例として、判定部７３は、異常と判定する場合だけ、状態情報を外部に通知させる。言い換えると、判定部７３は、異常に関する判定結果を示す状態情報のみを通知させる。ただし、判定部７３は、正常と判定する場合も（つまり概ね常時）、正常に関する判定結果を示す状態情報を、通知部６より通知させてもよい。
【００４０】
「状態情報」は、文字情報ＩＭ１及びコード情報ＩＭ２のうち少なくとも一方を含む。ここでは「状態情報」は、文字情報ＩＭ１及びコード情報ＩＭ２（図２Ｂ参照）の両方を含む。文字情報ＩＭ１は、例えば「エラー０１」や「エラー０２」等という、コンセント本体Ｂ１の異常（エラー）の種類を示すエラー番号付きの文字情報である。コード情報ＩＭ２は、例えば、ウェブサイトのＵＲＬ（Uniform Resource Locator）を記録した、バーコード、ＱＲコード（登録商標）等の二次元コードである。そして、各エラー番号に対応するＵＲＬが割り振られている。通知部６から出力（表示）されるコード情報ＩＭ２をカメラ付きの情報端末（例えばユーザが携帯するスマートフォン等）で読み込むことで、各エラー番号に対応するウェブサイトへのアクセスを容易にするものである。この場合、情報端末には、二次元コード読み取り可能なアプリケーションソフトがインストールされている。コード情報ＩＭ２は、ウェブサイトのＵＲＬを含まなくてもよく、例えば、専用の読取装置で読み取ることで、読取装置に付属の表示部に、各エラー番号に対応するエラー内容等が表示されてもよい。制御部７のメモリは、予め、複数種類の文字情報ＩＭ１及びコード情報ＩＭ２に関するデータを記憶している。なお、通知部６については、後の「（２．２）通知部」の欄で詳しく説明する。
【００４１】
ところで、特定の事象は、異常な温度上昇のみではなく、コンセント本体Ｂ１内の電気回路に発生し得る断線等を、更に含んでもよい。この場合、検出部Ｄ１は、温度検出部５に加えて、断線等を検知する機能を更に有してもよい。要するに、断線等に関するエラー番号も割り振られていてもよい。
【００４２】
スイッチ８４は、ブザー８３の音出力を停止させる際に操作される。つまり、ブザー８３が異常警告音を出力している状態でスイッチ８４が押操作されると、ブザー８３を停止させるように、制御部７がブザー８３を制御する。また、スイッチ８４は、テストスイッチとしても兼用されており、開閉部８を強制的に導通状態から遮断状態に切り替える場合にも使用される。
【００４３】
開閉部８は、端子部材２と接続部材３との間に電気的に接続されている。開閉部８は、導通状態及び遮断状態の２つの状態が切り替わる装置である。すなわち、開閉部８が導通状態にあれば、端子部材２と接続部材３との間は開閉部８を介して導通し、開閉部８が遮断状態にあれば、端子部材２と接続部材３との間は開閉部８にて電気的に遮断（絶縁）される。つまり、開閉部８が遮断状態に切り替わることで、端子部材２及び接続部材３間における電路が遮断される。本実施形態では、上述したように、コンセント１は互いに異極性となる一対の端子部材２を備えており、開閉部８は、一対の端子部材２の両方に対して電気的に接続されている。そのため、開閉部８が遮断状態にあれば、二対（４個）の接続部材３は、全て端子部材２から電気的に切り離されることになる。
【００４４】
具体的には、開閉部８は、互いに異極性となる一対の接点装置と、電磁釈放装置と、を有している。一対の接点装置の各々は、固定接点及び可動接点を有している。可動接点は、固定接点に接触する閉位置と、固定接点から離れた開位置との間で移動する。固定接点には端子部材２が電気的に接続され、可動接点には接続部材３が電気的に接続される。より詳細には、可動接点は可動接触子に設けられており、可動接触子が編組線にてリード板３０に接続されることにより、可動接点と接続部材３とが電気的に接続される。
【００４５】
このような構成の開閉部８は、定常時には、可動接点が閉位置に位置することで、端子部材２と接続部材３との間を導通させる導通状態にある。一方、開閉部８は、制御部７からの駆動信号を受けると、電磁釈放装置を作動させて可動接触子を駆動し、可動接点を開位置に移動させることで、端子部材２と接続部材３との間を電気的に遮断する遮断状態に切り替わる。このように、開閉部８は、制御部７からの駆動信号により、導通状態から遮断状態に切り替わる。
【００４６】
開閉部８には、操作部材８１が機械的に結合されている。操作部材８１は、回転軸を中心に回転可能なレバー式ハンドルである。ここで、筐体４の前方から操作部材８１の操作が可能となるように、内カバー４３及び外カバー４２にはそれぞれ操作孔が形成されている。つまり、操作部材８１は、これらの操作孔を通して筐体４の前方に露出し、筐体４の前方から操作可能となる。
【００４７】
操作部材８１は、開閉部８に連動して回転し、オン位置（図２Ａ参照）、オフ位置（図２Ｂ参照）との間で移動する。オン位置は開閉部８の導通状態に対応する位置であって、オフ位置は開閉部８の遮断状態に対応する位置である。つまり、開閉部８が導通状態にあれば、図２Ａに示すように、操作部材８１がオン位置に位置する。操作部材８１がオン位置にあるとき、操作部材８１の前面は筐体４の前面と略面一になる。一方、開閉部８が導通状態から遮断状態に切り替わると、操作部材８１が回転して操作部材８１の先端部が前方（手前側）に移動し、図２Ｂに示すように、操作部材８１がオフ位置に移動する。操作部材８１がオフ位置にあるとき、操作部材８１は筐体４の前面から前方に突出する。
【００４８】
このように、操作部材８１と開閉部８とは連動しているので、開閉部８が制御部７からの駆動信号を受けて開閉部８が導通状態から遮断状態に切り替わると、操作部材８１はオン位置からオフ位置に移動する。反対に、操作部材８１がオフ位置からオン位置に移動すると、開閉部８が遮断状態から導通状態に切り替わる。そのため、オフ位置にある操作部材８１をユーザが操作してオン位置に移動させることで、遮断状態にある開閉部８を導通状態に切り替えることができる。以下では、操作部材８１をオフ位置からオン位置に移動させる操作を、「復旧操作」という。
【００４９】
また、本実施形態では、開閉部８は、制御部７からの駆動信号を受けた場合のみならず、操作部材８１をオン位置からオフ位置に移動させた場合にも、導通状態から遮断状態に切り替わる。そのため、開閉部８の導通状態と遮断状態とは、操作部材８１の操作によりユーザが手動で切り替えることが可能である。言い換えれば、開閉部８は、操作部材８１の操作に応じてオンオフするスイッチ装置として機能する。
【００５０】
次に、接続部材３及び端子部材２の構成について、図３Ａ〜図４Ｂを参照して説明する。
【００５１】
二対（４個）の接続部材３は、図３Ａ及び図４Ａに示すように、内ブロック４４に保持されている。ここで、二対の接続部材３は、外カバー４２に形成された二対の挿入孔１１１にそれぞれ対応する位置、具体的には、正面視において内ブロック４４の四隅に配置されている。さらに、上述したように、互いに同極性である２個の接続部材３、つまり上下方向に並ぶ２個の接続部材３は、リード板３０にて連結されている。互いに異極性となる一対のリード板３０の各々は、左右方向よりも上下方向に長い帯板状に形成されている。ここでは、互いに同極性である２個の接続部材３及びリード板３０は、１枚の金属板から一体に形成されている。図３Ａ及び図４Ａでは、接続部材３及びリード板３０を構成する金属板に網掛（ドットハッチング）を付している。
【００５２】
各接続部材３は、プラグ９１の接続時に、プラグ９１の栓刃９１１が差し込まれる刃受部材である。各接続部材３は、導電性及び弾性を有する金属、例えば、銅又は銅合金等からなる。各接続部材３は、左右方向において互いに対向する一対の刃受片３１を有している。各接続部材３は、一対の刃受片３１の間に栓刃９１１を挟んだ状態で、栓刃９１１と電気的に接続され、かつ栓刃９１１を機械的に保持する。
【００５３】
一対の端子部材２は、図３Ｂ及び図４Ｂに示すように、端子ブロック４５に保持されている。ここで、一対の端子部材２は、端子ブロック４５の後面に形成された一対の端子孔１２１にそれぞれ対応する位置に配置されている。各端子部材２は、給電線９２の心線９２１が差し込まれることで給電線９２が接続される、差込式の速結端子である。具体的には、各端子部材２は、図４Ｂに示すように、端子板２１及び鎖錠ばね２２を有している。端子板２１は、導電性を有する金属、例えば、銅又は銅合金等からなる。鎖錠ばね２２は、弾性を有する金属、例えば、ステンレス等からなる。各端子部材２は、筐体４の後面に開口した端子孔１２１に給電線９２が挿入されると、端子板２１と鎖錠ばね２２との間に給電線９２の心線を挟んだ状態で、給電線９２と電気的に接続され、かつ給電線９２を機械的に保持する。
【００５４】
さらに、端子ブロック４５には、アース線を接続するための接地端子１１６（図３Ｂ参照）が保持されている。接地端子１１６は、端子部材２と同様の差込式の速結端子であって、端子ブロック４５の後面に形成された接地端子孔１２２に対応する位置に配置されている。接地端子１１６は、筐体４内において、第１接地部材１１４及び第２接地部材１１５に電気的に接続されている。
【００５５】
温度検出部５は、例えば、導体Ｚ１における接続部材３の温度を、検出温度Ｔ１として検出する。温度検出部５は、筐体４内に収容されている。温度検出部５は、温度センサ（センサ素子）５０を有している（図４Ａ参照）。温度センサ５０は、接続部材３に熱的に結合されている。温度センサ５０は、例えば、サーミスタ、熱電対、又はサーモパイル等で実現される。
【００５６】
温度センサ５０は、図４Ａに示すように、２個の接続部材３を互いに連結しているリード板３０の裏側において、リード板３０と熱的に結合された状態で配置されている。温度センサ５０とリード板３０との間の熱的な結合は、例えば、リード板３０に対して温度センサ５０をクリップ等で直接的に固定することで実現される。ここで、温度センサ５０は、互いに異極性となる一対のリード板３０に対応するように一対設けられている。つまり、温度検出部５は、一対の温度センサ５０を有している。各温度センサ５０は、対応するリード板３０を介して、接続部材３の温度（検出温度Ｔ１）を検出する。
【００５７】
温度検出部５は、温度センサ５０で検出された検出温度Ｔ１に応じた検出信号を制御部７に出力する。検出信号は、特定の符号によって温度に応じた情報を伝える信号（電気信号）であればよく、例えば、温度に応じて、抵抗値、電圧値又は電流値等の電気量が変化する信号である。温度検出部５は、温度センサ５０の出力を処理して検出信号を出力する処理回路を、更に有してもよい。
【００５８】
なお、ここでは上述の通り、温度検出部５の各温度センサ５０は、対応するリード板３０と熱的に結合された状態で配置されて、温度検出部５は、リード板３０（検出点）を介して、接続部材３の温度を、検出温度Ｔ１として検出する。しかし、検出温度Ｔ１の検出点は、リード板３０に限定されない。例えば、温度検出部５は、接続部材３及びリード板３０における保持部材（内ブロック４４及び外カバー４２）との接触部位に近い検出点の温度を、接続部材３の温度として検出してもよい。また検出点と温度センサ５０との間に、隙間（空間）が介在してもよい。
【００５９】
また、温度検出部５は、温度センサ５０の代わりに、又は温度センサ５０に加えて、導体Ｚ１における端子部材２と熱的に結合された状態で配置される温度センサ５１（図４Ｂ参照）を有してもよい。温度センサ５１は、図４Ｂに示すように、センサ基板５１１に実装されている。端子板２１と温度センサ５１との間に、伝熱性及び電気絶縁性を有する伝熱シート５１２を介在させることで実現される。
【００６０】
要するに、検出温度Ｔ１の検出点の数は、複数でもよいし、またその位置も、導体Ｚ１に対応する温度であれば、限定されない。
【００６１】
（２．２）通知部
通知部６は、制御部７の判定部７３による、コンセント本体Ｂ１の状態の判定結果を示す状態情報を通知する。通知部６は、制御部７から、状態情報を含む制御信号を受信すると、文字情報ＩＭ１及びコード情報ＩＭ２を、表示する（図２Ｂ参照）。ここでは、通知部６は、例えば、表示により状態情報を通知する電子ペーパー６１を有している。通知部６は、更に、制御部７からの制御信号に基づいて、表示画像を生成して電子ペーパー６１に出力するための処理回路を構成する回路部品が実装された制御基板等を有している。また通知部６は、電子ペーパー６１等を駆動するための動作電源として電池を更に有してもよい。電子ペーパー６１の左側面には、フレキシブルプリント配線板の一端が接続されており、当該フレキシブルプリント配線板の他端は制御基板に接続されている。なお、この処理回路の機能は、制御部７の側に設けられてもよい。電子ペーパー６１は、制御基板と一体となった電子ペーパーモジュールでもよい。
【００６２】
電子ペーパー６１は、図２Ａ及び図２Ｂに示すように、左右方向に長尺で、矩形の薄板状に形成されている。電子ペーパー６１は、筐体４の正面において、上側の接続口１１よりも上部の領域に配置されている。電子ペーパー６１は、筐体４の正面に形成された凹所内に嵌め込まれている。凹所の左側の内側面には、制御部７がある内部空間に繋がる窓孔が形成され、フレキシブルプリント配線板は、当該窓孔を通じて内部に引き込まれている。電子ペーパー６１の制御基板は、外カバー４２の背面側に固定されている。
【００６３】
電子ペーパー６１は、その表示面における左側の領域に文字情報ＩＭ１（図示例では「エラー０１」）を、表示面における右側の領域にコード情報ＩＭ２を、それぞれ表示するように構成されている。電子ペーパー６１の表示方式は、例えば、電子粉流体方式、又は電気泳動方式等でもよく、特に限定されない。
【００６４】
通知部６は、電子ペーパー６１の代わりに、文字情報ＩＭ１及びコード情報ＩＭ２を表示する液晶ディスプレイを有してもよい。ただし、電子ペーパー６１の方が、以下の点で望ましい。電子ペーパー６１は、バックライト構造を有しておらず、比較的設計スペースが限られているコンセント１の筐体４に対して、容易に付設可能である。また電子ペーパー６１は、液晶ディスプレイ等に比べて表示中に消費される電力も極小に抑えられる（概ね、表示の書き換え時に電力が消費されるのみ）。
【００６５】
なお、電子ペーパー６１は、図示例では上側の接続口１１よりも上部の領域に配置されているが、電子ペーパー６１の位置は、特に限定されない。接続口１１に接続されるものが、例えば、ＡＣアダプタ等のように上下方向の寸法が比較的に大きい場合、電子ペーパー６１に表示される文字情報ＩＭ１及びコード情報ＩＭ２が、ＡＣアダプタによって隠れてしまう可能性がある。同様に、電子ペーパー６１が、例えば下側の接続口１１よりも下部の領域に配置されると、文字情報ＩＭ１及びコード情報ＩＭ２が、ＡＣアダプタによって隠れてしまう可能性がある。この点を考慮すると、電子ペーパー６１は、接続口１１に対して左右の両横のいずれかに配置されてもよい。
【００６６】
（２．３）動作
以下、コンセント１の動作の一例について、図５のフローチャートを参照して説明する。図５のフローチャートは一例に過ぎず、処理の順番が適宜変更されてもよいし、処理が適宜追加又は省略されてもよい。
【００６７】
図５において、まず、制御部７が、温度検出部５から検出信号を受信することにより、検出温度Ｔ１を取得する（Ｓ１）。制御部７は、取得した検出温度Ｔ１のデータを、自身のメモリ内に履歴として記憶してもよい。
【００６８】
そして、制御部７は、取得した検出温度Ｔ１と温度閾値との比較判定を行う（Ｓ２）。制御部７は、検出温度Ｔ１が温度閾値未満であると判定すると（Ｓ２：Ｙｅｓ）、「正常」と判定して、表示部８２での「正常」表示（Ｓ３）を実行し、処理Ｓ１に戻る。なお、このときブザー８３が異常警告音を出力中であれば、制御部７は、その出力を停止する。また通知部６の電子ペーパー６１がコンセント本体Ｂ１の異常に関する文字情報ＩＭ１及びコード情報ＩＭ２を出力中であれば、制御部７は、その出力を停止する。
【００６９】
制御部７は、検出温度Ｔ１が温度閾値以上であると判定すると（Ｓ２：Ｎｏ）、コンセント本体Ｂ１が「異常」状態にあると判定する（Ｓ４）。なお、制御部７は、例えば、１回のみの判定ではなく、検出温度Ｔ１が規定の期間において所定の回数だけ温度閾値以上と判定されたときに「異常」と判定してもよい。
【００７０】
そして、制御部７は、開閉部８に駆動信号を出力し、開閉部８を導通状態から遮断状態に切り替える（Ｓ５）。その後、制御部７は、ブザー８３からの異常警告音の出力（Ｓ６）、及び表示部８２での「異常」表示を行う（Ｓ７）。更に、制御部７は、図２Ｂに示すように、通知部６の電子ペーパー６１から、「異常」に関する文字情報ＩＭ１及びコード情報ＩＭ２の表示を行う（Ｓ８）。ここでは、一例として温度の異常上昇を示す「エラー０１」が文字情報ＩＭ１として、ＱＲコード（登録商標）がコード情報ＩＭ２として表示される。
【００７１】
このとき、ユーザは、スマートフォン等でコード情報ＩＭ２を読み込むと、コード情報ＩＭ２が指定しているＵＲＬのウェブサイトにアクセスすることができる。ユーザは、ウェブサイト上で、この「エラー０１」が示す異常の内容や対処方法等を知ることができる。
【００７２】
異常警告音の出力状態で、スイッチ８４が押操作される、つまりブザー８３の停止ボタンが押されると（Ｓ９：Ｙｅｓ）、制御部７は、ブザー８３の停止処理（Ｓ１０）を実行し、処理Ｓ１１に移行する。スイッチ８４が押操作されない、つまりブザー８３の停止ボタンが押されなければ（Ｓ９：Ｎｏ）、制御部７は、ブザー８３の停止処理（Ｓ１０）をスキップして、処理Ｓ１１に移行する。
【００７３】
そして、操作部材８１の復旧操作が行われると（Ｓ１１：Ｙｅｓ）、開閉部８が遮断状態から導通状態へ切り替わり（Ｓ１２）、処理Ｓ１に戻る。そして、コンセント１は再使用可能な状態となる。処理Ｓ１１においても、復旧操作が行われなければ（Ｓ１１：Ｎｏ）、制御部７は、処理Ｓ９に移行する。
【００７４】
なお、電子ペーパー６１の文字情報ＩＭ１及びコード情報ＩＭ２の表示は、スイッチ８４が押操作されたタイミング、又は復旧操作が行われたタイミングで停止されてもよいし、これらのタイミング後、一定期間が経過してから停止されてもよい。
【００７５】
このように本実施形態のコンセント１では、ユーザは、通知部６を通じて、コンセント本体Ｂ１の状態に関する状態情報を知ることができる。したがって、利便性の向上を図ることができる。
【００７６】
また電子ペーパー６１による状態情報の通知のため、例えば表示灯（表示部８２）等の点灯による報知に比べて、多くの情報量をユーザに提供でき、ユーザは、コンセント本体Ｂ１の状態をより詳しく知ることができる。特に電子ペーパー６１は、文字情報ＩＭ１やコード情報ＩＭ２の視認性にも優れており、また消費電力も液晶ディスプレイ等に比べて僅かであり、設計スペースにある程度の制限があるコンセント１に対しても容易に組み込むことができる。
【００７７】
（３）変形例
上記実施形態は、本開示の様々な実施形態の一つに過ぎない。上記実施形態は、本開示の目的を達成できれば、設計等に応じて種々の変更が可能である。また、上記実施形態に係る制御部７と同様の機能は、コンセント１の制御方法、コンピュータプログラム、又はコンピュータプログラムを記録した非一時的記録媒体等で具現化されてもよい。
【００７８】
以下、上記実施形態の変形例を列挙する。以下に説明する変形例は、適宜組み合わせて適用可能である。なお、以下では、上記実施形態を「基本例」と呼ぶこともある。
【００７９】
本開示におけるコンセント１は、例えば、制御部７等に、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における制御部７としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００８０】
また、コンセント１における複数の機能が、１つの筐体４に集約されていることはコンセント１に必須の構成ではなく、コンセント１の構成要素は、複数の筐体に分散して設けられていてもよい。さらに、制御部７等、コンセント１の少なくとも一部の機能は、例えば、クラウド（クラウドコンピューティング）等によって実現されてもよい。反対に、上記実施形態のように、コンセント１の全ての機能が、１つの筐体４に集約されていてもよい。
【００８１】
（３．１）変形例１
以下、本変形例（変形例１）について、図６Ａ及び図６Ｂを参照しながら説明する。
【００８２】
基本例では、通知部６は、電子ペーパー６１を有している。本変形例の通知部６は、図６Ａ及び図６Ｂに示すように、電子ペーパー６１の代わりに、温度の変化に応じて変色することで状態情報を通知する感熱部６２を有している点で、基本例と異なる。
【００８３】
感熱部６２は、例えば、熱（温度変化）により化学反応を起こして変色を呈する物質（ロイコ色素、及びそれと反応する顕色剤等）が、印刷体６２０の表面に印刷（又は塗布でもよい）されることで構成される。印刷体６２０は、筐体４とは別体のシート状の部材でもよいし、筐体４の前壁の一部に相当してもよい。印刷体６２０は、別体のシート状の部材である場合、筐体４の正面に形成された収容凹部に嵌め込まれてもよい。印刷体６２０の表面には、上記の物質（以下、変色物質と呼ぶ）により、予め異常に関する文字情報ＩＭ１及びコード情報ＩＭ２が印刷（又は塗布）されている。
【００８４】
感熱部６２は、導体Ｚ１と熱的に結合された状態で、筐体４の収容凹部内に保持されている。また当該収容凹部の底には、筐体４の内部に連通する窓孔が形成されており、熱伝導性の高い部材（例えば銅製の部材）を当該窓孔に挿通して、感熱部６２と導体Ｚ１とが熱的に結合されている。ただし、感熱部６２と導体Ｚ１とは、絶縁シート等を間に介して、電気的に絶縁される。
【００８５】
ここでは、変色物質により印刷されている情報は、「異常発生」という文字情報ＩＭ１と、コード情報ＩＭ２の一部とだけである。コード情報ＩＭ２は、例えば、ＱＲコード（登録商標）である。コード情報ＩＭ２の一部とは、例えば、ＱＲコード（登録商標）の３コーナーに配置される位置検出用のファインダパターン６２１と、データパターン内における一部分６２２（図６Ｂでは２箇所）とである。変色物質により印刷されている文字情報ＩＭ１及びコード情報ＩＭ２の一部は、例えば常温では無色を呈し（図６Ａ参照）、常温を超える異常な温度に変化することで、無色から有色（例えば黒色）を呈する（図６Ｂ参照）。一方、コード情報ＩＭ２の残りの部分は、例えば、常温でも有色（例えば黒色）を呈する物質で印刷されていて、常温を超える異常な温度に変化しても、有色（例えば黒色）を呈する。要するに、コンセント本体Ｂ１において異常な温度上昇が発生したときのみ、感熱部６２の表示面に、「異常発生」という文字情報ＩＭ１が浮かび上がり、コード情報ＩＭ２が読み取り可能な状態として完全に表示される。ただし、変色物質により印刷されている情報量は、特に限定されず、コード情報ＩＭ２の全てが、変色物質により印刷されてもよい。
【００８６】
このような感熱部６２を有した通知部６は、基本例と異なり、制御部７とは電気的に非接続にある。すなわち、通知部６は、制御部７からの制御信号を必要とせず、異常な温度上昇の発生源である導体Ｚ１の温度を直接又は間接的に受けることによる感熱部６２の変色によって予め印刷された文字情報ＩＭ１及びコード情報ＩＭ２を表示させて状態情報を通知する。
【００８７】
本変形例によれば、ユーザは、コンセント本体Ｂ１の状態をより詳しく知ることができる。また、簡素な構成で実現できるため、製造コストの増加を抑制できる。特に、基本例とは異なり、制御部７における判定部７３の機能、電子ペーパー６１の画像表示に関する処理回路、及び電子ペーパー６１の動作電源（電池等）が不要である。
【００８８】
ただし、本変形例でも、制御部７における判定部７３の判定処理を用いて、感熱部６２の変色を擬似的に行わせてもよい。具体的には、熱源となり得るヒータを別に設けて、当該ヒータを感熱部６２と熱的に結合させてもよい。判定部７３が、コンセント本体Ｂ１に異常な温度上昇があると判定すると、制御部７は、当該ヒータから（通電等で）擬似的に放熱させて、感熱部６２を変色させてもよい。特に、コンセント１が、過熱検知機能付きのコンセントではなく感震機能付きのコンセントの場合、制御部７は、揺れを検知したときに、ヒータから擬似的に放熱させて感熱部６２を変色させてもよい。
【００８９】
また、ヒータからの放熱により感熱部６２を変色させる場合、変色物質は、例えば、常温より高い温度で無色となり、常温で有色となるものでもよい。つまり、制御部７は、正常時にヒータから放熱させて感熱部６２を無色状態に保ち、異常時にヒータからの放熱を停止させることで有色状態に切り替えて、状態情報を通知させてもよい。
【００９０】
ところで、本変形例では、文字情報ＩＭ１及びコード情報ＩＭ２は予め印刷された情報である。つまり、１つの感熱部６２に対して１種類の（固定的な）異常に関する情報しか外部に通知できない。一方で、通知部６が、感熱部６２を複数有していれば、複数の種類の異常に関する情報も通知可能である。例えば、ある第１温度範囲の状態を第１異常とし、第１温度範囲よりも高い第２温度範囲の状態を第２異常と分類されていると、通知部６は、第１温度範囲で変色し得る第１感熱部６２と、第２温度範囲で変色し得る第２感熱部６２とを、有してもよい。この場合、外カバー４２の背面側では、導体Ｚ１に接続されている熱伝導性の高い部材（例えば銅製の部材）の先が二股に分かれていて、これらの感熱部６２にそれぞれ熱的に結合される。したがって、通知部６は、第１異常が発生すると、第１感熱部６２から状態情報を通知し、第２異常が発生すると、第２感熱部６２から状態情報を通知することになる。
【００９１】
（３．２）変形例２
以下、本変形例（変形例２）について、図７Ａ及び図７Ｂを参照しながら説明する。
【００９２】
基本例及び変形例１では、通知部６が状態情報をコンセント本体Ｂ１の外部に通知する。本変形例では、通知部６がコンセント本体Ｂ１の存在をコンセント本体Ｂ１の外部に通知する。
【００９３】
本変形例の通知部６は、図７Ａに示すように、発光素子６３を有して発光によりコンセント本体Ｂ１の存在を通知する発光部６３０を備える。発光素子６３は、例えば、砲弾型のレンズ部６３１を有するＬＥＤ（Light Emitting Diode）である。また発光部６３０は、発光素子６３のリード部（アノード及びカソード）が実装される実装基板を有している。実装基板は、筐体４内に収容されており、実装基板には、発光素子６３を点灯させる点灯回路等を構成する回路部品が実装されている。点灯回路は、制御部７と電気的に接続されている。発光素子６３は、レンズ部６３１が筐体４から外部に露出するように配置される。言い換えると、筐体４は、レンズ部６３１を露出するための貫通孔を有している。
なお、発光素子６３の種類は、特に限定されず、表面実装型のチップＬＥＤでもよいし、半導体レーザー（レーザーダイオード）でもよい。発光色について、例えば赤色が好ましいが、特に限定されない。
【００９４】
制御部７は、判定部７３がコンセント本体Ｂ１に異常な温度上昇があると判定すると、通知部６の点灯回路に、発光素子６３を点灯するように制御信号を出力する。点灯回路は、制御信号を受信することで、発光素子６３を連続点灯（点滅点灯でもよい）させる。
【００９５】
ところで、本変形例の発光部６３０は、その光軸方向Ｌ１が、コンセント本体Ｂ１における筐体４の正面４００以外の面と交差するように光を出射する。正面４００以外の面とは、例えば筐体４の上面４０１、下面、左面、右面等である。ここでは、図７Ａに示すように、筐体４の上面４０１における右端寄りの位置に、レンズ部６３１を露出させる貫通孔が配置されている。したがって、発光素子６３は、光軸方向Ｌ１が上面４０１（及び下面）と交差するように配置され、光軸方向Ｌ１は、上下方向に沿っている。発光素子６３から放射される光は、上へ、つまり図７Ｂに示すように、コンセント１が屋内の壁に設置されていればに向か天井１０３って放出される。
【００９６】
本変形例によれば、コンセント本体Ｂ１に異常がある場合に、ユーザは、発光素子６３から放射される光を通じてコンセント１の位置を知ることができる。したがって、利便性の向上を図ることができる。なお、発光部６３０は、例えばユーザが指先でレンズ部６３１の向きを調整する等して、光軸方向Ｌ１を変更できるように構成されてもよい。また発光部６３０は、レンズ部６３１の周囲に配置される反射部（不図示）を更に備え、当該反射部で反射された光の光軸が、正面４００以外の面と交差してもよい。
【００９７】
特に発光部６３０は、その光軸方向Ｌ１が正面４００以外の面と交差するように光を出射することで、ユーザが発光素子６３の光に気づく可能性がより高くなる。例えば、コンセント１は、冷蔵庫の裏又はタンスの裏等に隠れた位置にある場合がある。その場合、例えば、コンセント１から異常警告音が発報されているとき、ユーザは、音だけでは、コンセント１の位置を瞬時に把握できない場合がある。これに対して本変形例では、屋内であれば天井１０３が照らされることになり、ユーザは、照らされた天井１０３の様子から、その真下にコンセント１が存在することを知ることができる。
【００９８】
なお、レンズ部６３１を露出させる貫通孔は、筐体４の下面に配置されてもよく、この場合、発光素子６３から放射される光は、下へ放出されて床が照らされることになる。ユーザは、照らされた床の様子から異常が起きているコンセント１の位置を知ることができる。またレンズ部６３１を露出させる貫通孔は、筐体４の左面（又は右面）に配置されてもよく、この場合、発光素子６３から放射される光は、左方（又は右方）へ放出されて壁が照らされることになる。ユーザは、照らされた壁の様子から異常が起きているコンセント１の位置を知ることができる。
【００９９】
通知部６は、発光色が互いに異なる複数の発光素子６３を備えてもよい。この場合、制御部７は、判定された異常の種類に応じて、対応する発光色を有した発光素子６３を光らせてもよい。ユーザは、発光素子６３の光によって位置だけでなく状態情報も得ることができる。
【０１００】
本変形例は、基本例及び変形例１のいずれかと併合して適用されてもよい。すなわち、ユーザは、コンセント１からの光を頼りに位置を特定し、更にコンセント１の電子ペーパー６１又は感熱部６２を通じて、実際の状態情報を確認できてもよい。この場合、更に利便性が向上される。
【０１０１】
（３．３）変形例３
以下、本変形例（変形例３）について、図８Ａ及び図８Ｂを参照しながら説明する。
【０１０２】
変形例２では、通知部６の発光素子６３からの光により、直接的に、通知部６が、異常のあるコンセント本体Ｂ１の存在（位置）をコンセント本体Ｂ１の外部に通知する。本変形例では、電磁波を媒体とした信号により、通知部６が、異常のあるコンセント本体Ｂ１の存在をコンセント本体Ｂ１の外部に通知する。
【０１０３】
本変形例の通知部６は、電磁波を媒体とした信号により状態情報及び存在（位置）のうち少なくとも一方を通知する発信部６４（図８Ｂ参照）を有している。ここでは、発信部６４が、コンセント本体Ｂ１の位置を示す存在のみを通知する例を説明する。また「電磁波を媒体とした信号」は、一例として、無線信号である。
【０１０４】
ここでコンセントシステム１０について説明する。コンセントシステム１０は、図８Ａに示すように、コンセント１を１又は複数（ここでは複数）と、異常のあるコンセント本体Ｂ１の位置を示す存在の通知を受ける通信端末ＴＭ１と、を備える。なお、コンセント本体Ｂ１が正常であっても、コンセント本体Ｂ１の位置が定期的に通知されてもよい。
【０１０５】
通信端末ＴＭ１は、例えば、ユーザが携帯するスマートフォン等の情報端末であることを想定するが、特に限定されない。通信端末ＴＭ１には、発信部６４からの無線信号を受信可能（通信可能）とする専用のアプリケーションソフト（以下、「コンセント探索アプリ」と呼ぶ）がインストールされる。通信端末ＴＭ１は、コンセント本体Ｂ１の位置をユーザに知らせるマップ画像を表示するための表示部１２０を有している。
【０１０６】
本変形例の各コンセント１の発信部６４は、例えば、アンテナ６４０と、通信回路６４１とを備えている（図８Ｂ参照）。発信部６４は、例えば、ＢＬＥ（Bluetooth（登録商標） Low Energy）の規格に準拠した近距離無線通信を行うように構成されている。「ＢＬＥ」とは、無線ＰＡＮ（Personal Area Network）技術であるＢｌｕｅｔｏｏｔｈ（登録商標）の仕様における、低消費電力仕様の呼称である。発信部６４は、制御部７と電気的に接続されている。発信部６４は、制御部７からの指令に従って、ビーコン信号を送出するように構成される。すなわち、発信部６４は、制御部７にてコンセント本体Ｂ１が異常状態にあると判定されると、ビーコン信号を送出する。ビーコン信号は、コンセント１自身の識別情報及びコンセント本体Ｂ１の状態情報に関するデータを含まなくてもよい。無線通信方式は、ＢＬＥに限定されず、Ｗｉ−Ｆｉ（登録商標）等の無線通信方式であってもよい。
【０１０７】
本変形例では、コンセント本体Ｂ１の位置は、発信部６４が発信する無線信号（ビーコン信号）の電波強度により特定可能である。すなわち、通信端末ＴＭ１は、コンセント探索アプリの起動中において、受信する無線信号の電波強度の強弱を、例えば、表示色の濃淡により、表示部１２０上に画像表示する（図８Ａ参照）。ここでは、複数のコンセント１のうちある１台のコンセント１Ａにて、異常な温度上昇が検知されて、コンセント１Ａの発信部６４が、無線信号を送出中にあるとする。
【０１０８】
表示部１２０では、色の濃い領域（電波強度の強い領域）が、コンセント１Ａを中心に放射状に広がっている。コンセント１Ａから離れるほど、表示部１２０上の表示色は、薄くなる（例えば、表示色は、赤色、黄色、黄緑色等の順に淡くなる）。なお、マップ画像上の濃淡表示は、通信端末ＴＭ１を携帯するユーザが、コンセント１Ａを探索する過程の中で、ある程度施設内の領域を歩き回ることで少しずつ作成されていくものである。言い換えると、図８Ａでは表示部１２０全体の領域にわたって濃淡表示されているが、実際には、ユーザが通った周辺領域について、徐々に濃淡表示されていく。
【０１０９】
要するに、ユーザは、通信端末ＴＭ１の表示部１２０を通じて、電波強度が最も強い位置（表示色が最も濃い位置）が、異常状態にあるコンセント１Ａであると認識でき、コンセント本体Ｂ１の存在（位置）を特定できる。
【０１１０】
本変形例によれば、ユーザは、例えばコンセント１から比較的離れた位置に居るときでもコンセント本体Ｂ１の存在を知ることができる。したがって、利便性の向上を更に図ることができる。
【０１１１】
また無線信号が具体的な情報（識別情報や状態情報）を含まなくても、電波強度だけでユーザは、コンセント本体Ｂ１の位置を知ることができる。言い換えると、無線信号に関する種々の登録及び設定が不要である。
【０１１２】
なお、表示部１２０は、図８Ａに示すように、コンセントシステム１０が適用されている施設内（例えば戸建住宅内）の１フロア分の見取り図を概略的に画像表示することで、利便性が更に向上される。表示部１２０は、見取り図の上に、電波強度の強弱に応じた濃淡領域を重畳させるように画像表示している。表示部１２０上における６つの丸いマーク１２３は、それぞれコンセント１を示す。各コンセント１の位置情報は、コンセント探索アプリを通じて、予め登録可能であってもよい。また、扇状のマーク１２４は、無線信号を受信する通信端末ＴＭ１の位置、言い換えると、通信端末ＴＭ１を携帯するユーザの現在位置を示す。ユーザの現在位置は、例えば、ＧＰＳ（Global Positioning System）から取得されてもよい。
【０１１３】
以下に、本変形例（変形例３）に関する幾つかの更なる変形例を列記する。
【０１１４】
変形例３では、「電磁波を媒体とした信号」は、一例として、無線信号であるが、赤外線の信号でもよい。
【０１１５】
変形例３では、発信部６４は、コンセント本体Ｂ１の存在（位置）のみを通知する構成であるが、状態情報も追加的に通知してもよい。例えば、ユーザが、表示部１２０上で電波強度が最も強い領域内にあるマーク１２３を指先でタッチ操作すると、状態情報が表示されるか、又は状態情報の具体的な内容及び対処方法等を載せたウェブサイトに自動的にアクセスしてもよい。
【０１１６】
変形例３では、電波強度の強弱により、コンセント本体Ｂ１の存在（位置）を特定するものである。しかし、電波強度の強弱ではなくてもよい。発信部６４は、例えば、コンセント１自身の識別情報を含めた無線信号を送信してもよい。通信端末ＴＭ１は、予め登録されている複数のコンセント１の識別情報をサーチし、受信した識別情報に該当するコンセント１が存在すれば、そのコンセント１のマーク１２３を表示させてもよい。
【０１１７】
変形例３では、通信端末ＴＭ１は、表示部１２０にてマップ画像を表示することでコンセント本体Ｂ１の位置をユーザに知らせている。しかし、コンセント本体Ｂ１の位置をユーザに知らせる手段としては、マップ画像ではなく、例えば音でもよい。通信端末ＴＭ１は、例えば、電波強度の強い位置に近づくほど、通信端末ＴＭ１に内蔵されているスピーカからの出力音（「ピッ、ピッ・・」等）の音量を増加させることで、コンセント本体Ｂ１の位置をユーザに知らせてもよい。
【０１１８】
ところで、変形例３では、ユーザが、能動的に、コンセント探索アプリを起動した状態であることが前提となっている。しかし、コンセント１は、コンセント探索アプリが起動中でなくても、通信端末ＴＭ１に対して、ユーザの能動的な操作を必要とすることなく情報を通知させるプッシュ型情報配信、いわゆる「プッシュ通知」により状態情報や存在を通知してもよい。またコンセント１は、ＨＥＭＳ（Home Energy Management System）コントローラ又はＢＥＭＳ（Building Energy Management System）コントローラ等に状態情報や存在を通知してもよい。この場合、送信される無線信号は、コンセント１を特定するための識別情報を含んでいることが望ましい。通信端末ＴＭ１は、ＨＥＭＳコントローラ等を経由して、状態情報や存在の通知を受けてもよい。
【０１１９】
変形例３は、基本例及び変形例１のいずれかと併合して適用されてもよい。すなわち、ユーザは、コンセント１からの「電磁波を媒体とした信号」を頼りに位置を特定し、更にコンセント１の電子ペーパー６１又は感熱部６２を通じて、実際の状態情報を確認できてもよい。この場合、更に利便性が向上される。また、変形例３は、変形例２とも併合して適用されてもよい。すなわち、ユーザは、コンセント１からの「電磁波を媒体とした信号」と「光」の両方を頼りに位置を特定できてもよい。
【０１２０】
（３．４）変形例４
以下、本変形例（変形例４）について、図９を参照しながら説明する。
【０１２１】
変形例３では、通知部６は、無線により、異常のあるコンセント本体Ｂ１の存在を外部に通知する。本変形例では、通知部６は、有線により、異常のあるコンセント本体Ｂ１の存在を外部に通知する。
【０１２２】
ここで先ず、本変形例のコンセントシステム１０について説明する。コンセントシステム１０は、図９に示すように、コンセント１を１又は複数（ここでは複数）と、監視装置Ｍ１と、を備える。本変形例では、監視装置Ｍ１が、通信端末ＴＭ１に相当する。複数のコンセント１と監視装置Ｍ１とは、分電盤１３０から分岐される電力線ＰＬ１を介して、電気的に接続されていて、分電盤１３０から電力供給を受ける。
【０１２３】
ここで各コンセント１の通知部６は、電力線通信（ＰＬＣ：Power Line Telecommunication）を実現するためのＰＬＣ機能を有している。すなわち、通知部６は、電力線ＰＬ１を通信回路として、電力線通信によりコンセント本体Ｂ１の状態情報及び存在（位置）のうち少なくとも一方を含む電気信号を、監視装置Ｍ１に送信する。送信される電気信号は、コンセント１を特定するための識別情報等も含んでいる。なお、通知部６は、正常状態であってもコンセント本体Ｂ１の状態情報や位置を、監視装置Ｍ１へ、定期的に通知してもよい。
【０１２４】
監視装置Ｍ１は、例えばＨＥＭＳコントローラ（又はＢＥＭＳコントローラ）等を想定するが、特に限定されない。監視装置Ｍ１は、例えば液晶ディスプレイ等の表示部を有している。監視装置Ｍ１は、各コンセント１の通知部６と電力線通信を行うためのＰＬＣ機能を有している。監視装置Ｍ１は、それ自体がＰＬＣ機能を有していなくてもよく、コンセント１の接続口１１に接続されたＰＬＣアダプタに接続されてもよい。
【０１２５】
監視装置Ｍ１は、電力線ＰＬ１を介して、コンセント１から上記電気信号を受信すると、表示部を介して異常状態にあるコンセント１を、ユーザに通知する。例えば、表示部上に表示される情報は、ユーザがコンセント１の位置を容易に特定できる情報を含んでいることが望ましい。
【０１２６】
例えば、監視装置Ｍ１は、変形例３のようにマップ画像を表示させて、コンセント１の存在（位置）を示してもよい。この場合、監視装置Ｍ１は、マップ画像上の（リビング等を示す）領域と、該当する領域に設置されているコンセント１の識別情報と、を対応付けしたデータを予め記憶している。
【０１２７】
あるいは、例えば、監視装置Ｍ１は、「リビングのコンセントで異常発生」等の文字情報を表示させてもよい。この場合、監視装置Ｍ１は、部屋の名称と、当該部屋に設置されているコンセント１の識別情報と、を対応付けしたデータを予め記憶している。
【０１２８】
監視装置Ｍ１は、状態（異常）の具体的な内容や対処方法等を表示してもよい。また監視装置Ｍ１は、ユーザが携帯するスマートフォン等の情報端末に、「リビングのコンセントで異常発生」等の文字情報を転送してもよい。
【０１２９】
本変形例によれば、ユーザは、例えばコンセント１から比較的離れた位置に居るときでも、コンセント本体Ｂ１の状態に関する状態情報及びコンセント本体Ｂ１の存在のうち少なくとも一方を知ることができる。したがって、利便性の向上を更に図ることができる。またコンセント１に無線による通信機能が無くても、ユーザは、コンセント本体Ｂ１の状態情報や位置を知ることができる。
【０１３０】
変形例４は、基本例及び変形例１のいずれかと併合して適用されてもよい。すなわち、ユーザは、有線通信によりコンセント１の位置を特定し、更にコンセント１の電子ペーパー６１又は感熱部６２を通じて、実際の状態情報を確認できてもよい。この場合、更に利便性が向上される。また、変形例４は、変形例２及び変形例３とも併合して適用されてもよい。
【０１３１】
（３．５）その他の変形例
基本例及び変形例１〜４では、コンセント１から通知するべき特定の事象が、異常な温度上昇（過熱）である。しかし、上の「（１）概要」の欄で説明した通り、コンセント１が感震機能付きのコンセントであれば、特定の事象は、揺れでもよい。また、コンセント１が電流を検知する機能を有していれば、特定の事象は、過電流でもよい。
【０１３２】
また特定の事象は、正常、異常の「異常」でなくてもよい。例えば、特定の事象は、コンセント１の寿命でもよい。制御部７が、コンセント１の稼働累積時間を計測していて、規定の時間に達すると、通知部６は、コンセント１の寿命を、外部に通知してもよい。
【０１３３】
また例えば、通知部６が変形例２のように発光部６３０を有している場合、コンセント１の施工時等に、ＨＥＭＳコントローラ等への回路設定を行う際に、該当するコンセント１の発光部６３０が光るように構成されてもよい。具体的には、コンセント１の識別情報をＨＥＭＳコントローラ等へ登録するとき、ＨＥＭＳコントローラから該当するコンセント１へ発光要求が送信されてもよい。発光要求を受信したコンセント１の制御部７は、発光部６３０を光らせて、コンセント１の存在を外部へ通知してもよい。この場合、ユーザ（例えば現場の施工者）は、発光部６３０の光を見ながら、ＨＥＭＳコントローラ等への回路設定を行うことができる。したがって、回路設定の誤設定を抑制できる。この場合、特定の事象は、ＨＥＭＳコントローラ等からの要求の受信である。
【０１３４】
基本例では、コンセント１は、施設（建物）の壁面、天井面及び床面等の造営面１００に設置されるコンセントである。しかし、コンセント１は、テーブルタップであってもよい。
【０１３５】
また、コンセント１は、接地極付きに限らず、接地極無しであってもよいし、例えば、交流２００Ｖ用又は直流用のコンセント（Outlet）であってもよい。さらに、コンセント１は、Ａタイプのコンセントに限らず、例えば、Ｂタイプ又はＣタイプのように、ピン形状の栓刃を有するプラグを接続可能なコンセントであってもよい。コンセント１は、２個口タイプに限らず、例えば、１個口タイプ又は３個口タイプであってもよい。さらに、コンセント１は、例えば、人感センサ、タイマ又はスイッチ等を更に備えていてもよい。また、端子部材２は、速結端子でなくてもよく、例えば、ねじ式端子であってもよい。また、コンセント１は、取付枠を用いて後部が造営面１００内に埋め込まれた状態で設置される構成（埋込設置型）に限らず、全体が露出した状態で造営面１００に設置される構成（露出設置型）であってもよい。
【０１３６】
また、コンセント１は、プラグ９１の抜け止めとなるロック機構を有していてもよい。ロック機構は、例えば、プラグ９１を回転させることによってプラグ９１の栓刃９１１の抜け止めを行う。コンセント１は、扉付きであってもよい。
【０１３７】
また、上記実施形態では、電磁釈放装置が作動して開閉部８が導通状態から遮断状態に切り替わると、開閉部８に連動して操作部材８１もオフ位置に移動するが、この構成に限らない。例えば、開閉部８が導通状態から遮断状態に切り替わる際、操作部材８１については、オン位置のままであってもよい。この場合、復旧操作は、操作部材８１をオン位置からオフ位置に一旦移動させた後、操作部材８１をオフ位置からオン位置に移動させることで実現される。
【０１３８】
また、開閉部８は、例えば、メカニカルリレー又は半導体スイッチ等で実現されてもよい。
【０１３９】
本開示にて、検出温度Ｔ１と、温度閾値との２値の比較において、「未満」としているところは、２値が等しい場合、及び２値の一方が他方より小さい場合の両方を含む「以下」と同義であってもよい。つまり、２値が等しい場合を含むか否かは、閾値等の設定次第で任意に変更できるので、「未満」か「以下」かに技術上の差異はない。同様に、「大きい」においても「以上」と同義であってもよい。
【０１４０】
（４）利点
以上説明したように、第１の態様に係るコンセント（１）は、コンセント本体（Ｂ１）と、通知部（６）と、を備える。通知部（６）は、コンセント本体（Ｂ１）の状態に応じて、当該状態に関する状態情報及びコンセント本体（Ｂ１）の存在のうち少なくとも一方を、コンセント本体（Ｂ１）の外部に通知する。第１の態様によれば、ユーザは、コンセント本体（Ｂ１）の状態に関する状態情報及びコンセント本体（Ｂ１）の存在のうち少なくとも一方を知ることができる。したがって、利便性の向上を図ることができる。
【０１４１】
第２の態様に係るコンセント（１）は、第１の態様において、判定部（７３）を、更に備えることが好ましい。判定部（７３）は、特定の事象を検出する検出部（Ｄ１）から取得する事象情報に基づいて、コンセント本体（Ｂ１）の状態を判定することが好ましい。通知部（６）は、判定部（７３）による上記状態の判定結果を示す状態情報を通知することが好ましい。第２の態様によれば、ユーザは、特定の事象の発生に関して、より精度の高い情報を得ることができる。
【０１４２】
第３の態様に係るコンセント（１）に関して、第１の態様又は第２の態様において、通知部（６）は、表示により状態情報を通知する電子ペーパー（６１）を有することが好ましい。状態情報は、文字情報（ＩＭ１）及びコード情報（ＩＭ２）のうち少なくとも一方を含むことが好ましい。第３の態様によれば、ユーザは、コンセント本体（Ｂ１）の状態をより詳しく知ることができる。
【０１４３】
第４の態様に係るコンセント（１）に関して、第１の態様〜第３の態様のいずれか１つにおいて、通知部（６）は、温度の変化に応じて変色することで状態情報を通知する感熱部（６２）を有することが好ましい。第４の態様によれば、ユーザは、コンセント本体（Ｂ１）の状態をより詳しく知ることができる。また、簡素な構成で実現できるため、製造コストの増加を抑制できる。
【０１４４】
第５の態様に係るコンセント（１）に関して、第１の態様〜第４の態様のいずれか１つにおいて、通知部（６）は、発光により上記存在を通知する発光部（６３０）を有することが好ましい。発光部（６３０）は、その光軸方向（Ｌ１）が、コンセント本体（Ｂ１）における筐体（４）の正面（４００）以外の面と交差するように光を出射することが好ましい。第５の態様によれば、ユーザは、発光部（６３０）から出射される光を通じてコンセント（１）の位置を知ることができる。特に発光部（６３０）は、その光軸方向（Ｌ１）が正面（４００）以外の面と交差するように光を出射することで、ユーザが発光部（６３０）の光に気づく可能性がより高くなる。
【０１４５】
第６の態様に係るコンセント（１）に関して、第１の態様〜第５の態様のいずれか１つにおいて、通知部（６）は、電磁波を媒体とした信号により上記状態情報及び上記存在のうち少なくとも一方を通知する発信部（６４）を有することが好ましい。第６の態様によれば、ユーザは、例えばコンセント（１）から比較的離れた位置に居るときでも、コンセント本体（Ｂ１）の状態に関する状態情報及びコンセント本体（Ｂ１）の存在のうち少なくとも一方を知ることができる。したがって、利便性の向上を更に図ることができる。
【０１４６】
第７の態様に係るコンセント（１）に関して、第６の態様において、発信部（６４）は、コンセント本体（Ｂ１）の位置を示す上記存在を通知することが好ましい。上記信号は、無線信号であることが好ましい。位置は、発信部（６４）が発信する無線信号の電波強度により特定可能であることが好ましい。第７の態様によれば、無線信号が具体的な情報を含まなくても、ユーザは、コンセント本体（Ｂ１）の位置を知ることができる。言い換えると、無線信号に関する種々の設定が不要である。
【０１４７】
第８の態様に係るコンセント（１）に関して、第１の態様〜第７の態様のいずれか１つにおいて、通知部（６）は、電力線通信により状態情報及び存在のうち少なくとも一方を通知することが好ましい。第８の態様によれば、ユーザは、例えばコンセント（１）から比較的離れた位置に居るときでも、コンセント本体（Ｂ１）の状態に関する状態情報及びコンセント本体（Ｂ１）の存在のうち少なくとも一方を知ることができる。したがって、利便性の向上を更に図ることができる。
【０１４８】
第９の態様に係るコンセントシステム（１０）は、第６の態様〜第８の態様のいずれか１つにおけるコンセント（１）を１又は複数と、上記状態情報及び上記存在のうち少なくとも一方の通知を受ける通信端末（ＴＭ１）と、を備える。第９の態様によれば、利便性の向上を図ることができるコンセント（１）を備えたコンセントシステム（１０）を提供できる。
【０１４９】
第２〜８の態様に係る構成については、コンセント（１）に必須の構成ではなく、適宜省略可能である。
【符号の説明】
【０１５０】
１０  コンセントシステム
１  コンセント
Ｂ１  コンセント本体
４  筐体
４００  正面
６  通知部
６１  電子ペーパー
６２  感熱部
６３０  発光部
６４  発信部
７３  判定部
Ｄ１  検出部
Ｌ１  光軸方向
ＴＭ１  通信端末
ＩＭ１  文字情報
ＩＭ２  コード情報
【図１】
2019220274.tif 000003
【図２】
2019220274.tif 000004
【図３】
2019220274.tif 000005
【図４】
2019220274.tif 000006
【図５】
2019220274.tif 000007
【図６】
2019220274.tif 000008
【図７】
2019220274.tif 000009
【図８】
2019220274.tif 000010
【図９】
2019220274.tif 000011